(57)【要約】【課題】タッチパネルへの電磁ノイズの影響をより低減しながら、ユーザによるタッチパネルへの操作を精度よく検知することが可能なディスプレイ部の取り付け構造および自動販売機を提供する。【解決手段】ディスプレイモジュール２０の取り付け構造は、タッチパネルを含むディスプレイモジュール２０と、導電性を有する金属カバー１０と、ディスプレイモジュール２０と金属カバー１０との間に配置され、ディスプレイモジュール２０を金属カバー１０に保持する絶縁性を有するクッション部材３０と、取付部１６と、を備え、クッション部材３０は、機器本体２からディスプレイモジュール２０に伝搬される電磁ノイズを遮断するとともに、ディスプレイモジュール２０からカバー部材３０に静電気を放電して自動販売機本体１に静電気を逃がすように構成されている。【選択図】図３
2020201757.tif 000002
【特許請求の範囲】
【請求項１】
機器本体に取り付けられるディスプレイ部の取り付け構造であって、
タッチパネルを含む前記ディスプレイ部と、
前記ディスプレイ部の前記タッチパネルが配置される側の面が露出する開口部を有するとともに、前記ディスプレイ部を覆う導電性を有するカバー部材と、
前記ディスプレイ部と前記カバー部材との間に配置され、前記ディスプレイ部を前記カバー部材に保持する絶縁性を有するクッション部材と、
前記ディスプレイ部を前記機器本体に取り付けるために、前記カバー部材に設けられた取付部と、を備え、
前記クッション部材は、前記機器本体から前記ディスプレイ部に伝搬される電磁ノイズを遮断するとともに、前記ディスプレイ部から前記カバー部材に静電気を放電して前記機器本体に静電気を逃がすように構成されている、ディスプレイ部の取り付け構造。
【請求項２】
前記クッション部材は、前記ディスプレイ部と前記カバー部材との間において、圧縮した状態で配置され、前記クッション部材の弾性反発力により前記ディスプレイ部を前記カバー部材に保持するように構成されており、
前記クッション部材は、前記ディスプレイ部と前記カバー部材との間の電位差が、所定の電位差を超えない場合には、前記ディスプレイ部と前記カバー部材との間を電気的に絶縁するとともに、前記ディスプレイ部と前記カバー部材との間の電位差が、所定の電位差以上の場合には、前記ディスプレイ部から前記カバー部材に静電気を放電させるように構成されている、請求項１に記載のディスプレイ部の取り付け構造。
【請求項３】
前記クッション部材は、発泡ゴムにより形成されている、請求項１または２に記載のディスプレイ部の取り付け構造。
【請求項４】
前記カバー部材は、前記開口部が設けられた第１カバー部材を含み、
前記クッション部材は、前記開口部の周縁部近傍の前記ディスプレイ部と前記第１カバー部材との間において、前記第１カバー部材の前記開口部に沿うように、枠状に形成された防水性を有する第１クッション部材を含む、請求項１〜３のいずれか１項に記載のディスプレイ部の取り付け構造。
【請求項５】
前記カバー部材は、前記ディスプレイ部の前記タッチパネルが配置される側とは反対側の面を覆う第２カバー部材を含み、
前記クッション部材は、前記ディスプレイ部の前記タッチパネルが配置される側とは反対側の面において、前記ディスプレイ部と前記カバー部材との間に配置された枠状に形成された第２クッション部材を含む、請求項４に記載のディスプレイ部の取り付け構造。
【請求項６】
前記ディスプレイ部は、矩形形状を有し、
前記クッション部材は、矩形形状の前記ディスプレイ部の４つの外周側面と前記カバー部材の内側面との間に配置され、弾性反発力により前記ディスプレイ部を前記カバー部材に保持する、第３クッション部材を含む、請求項４または５に記載のディスプレイ部の取り付け構造。
【請求項７】
内部に商品を収納する自動販売機本体と、
商品を払い出すための操作を受け付けるためのタッチパネルを含むディスプレイ部と、
前記自動販売機本体の外面側において、前記ディスプレイ部の前記タッチパネルが配置される側の面が露出する開口部を有するとともに、前記ディスプレイ部を覆う導電性を有するカバー部材と、
前記ディスプレイ部と前記カバー部材との間に設けられ、前記ディスプレイ部を前記カバー部材に保持する絶縁性を有するクッション部材と、
前記ディスプレイ部を前記自動販売機本体に取り付けるために、前記カバー部材に設けられた取付部と、を備え、
前記クッション部材は、前記自動販売機本体からの前記ディスプレイ部に伝搬される電磁ノイズを遮断するとともに、前記ディスプレイ部から導電性を有する前記カバー部材に静電気を放電して前記自動販売機本体に静電気を逃がすように構成されている、自動販売機。
【発明の詳細な説明】
【技術分野】
【０００１】
この発明は、ディスプレイ部の取り付け構造および自動販売機に関し、特に、タッチパネルを含むディスプレイ部に伝搬される電磁ノイズを遮断するディスプレイ部の取り付け構造および自動販売機に関する。
【背景技術】
【０００２】
従来、タッチパネルを含むディスプレイ部に伝搬される電磁ノイズを遮断するディスプレイ部の取り付け構造が知られている（たとえば、特許文献１参照）。
【０００３】
上記特許文献１には、表示装置を含む表示モジュールと、表示モジュールに載置されたタッチパネルと、表示モジュールおよびタッチパネルを収納する金属カバーと、シールド体と、を備えるディスプレイ部の取り付け構造が開示されている。この特許文献１に記載のディスプレイ部の取り付け構造では、表示モジュールと金属カバーとの間に配置されたシールド体により、金属カバーとタッチパネルと表示モジュールの回路基板のグランド端子とを電気的に接続して、帯電したユーザの操作などにより表示モジュールに加わる静電気およびノイズを遮断するように構成されている。
【先行技術文献】
【特許文献】
【０００４】
【特許文献１】特開２００５−２２２０９１号公報
【発明の概要】
【発明が解決しようとする課題】
【０００５】
上記特許文献１のディスプレイ部の取り付け構造では、シールド体により、帯電したユーザの操作などにより表示モジュールに加わる静電気およびノイズを遮断するように構成されているが、表示モジュールに載置されたタッチパネルは、シールド体により金属カバーと電気的に接続されている。そのため、金属カバーから伝搬してタッチパネルに加わる電磁ノイズの除去を充分に行えないと考えられる。タッチパネルに加わる電磁ノイズをより低減するためには、タッチパネルと金属カバーとを電気的に絶縁する必要がある。しかしながら、タッチパネルを電気的に絶縁すると、タッチパネルへの電磁ノイズの影響をより低減させることはできるが、ユーザ（人体）とタッチパネルとの間に静電気による放電（静電気放電）が発生した場合に、瞬間的に高電圧が生じるので、タッチパネルの誤作動および異常を引き起こしてしまうという不都合がある。この場合、ユーザによるタッチパネルへの操作を精度よく検知することが困難であるという問題点がある。
【０００６】
この発明は、上記のような課題を解決するためになされたものであり、この発明の１つの目的は、タッチパネルへの電磁ノイズの影響をより低減しながら、ユーザによるタッチパネルへの操作を精度よく検知することが可能なディスプレイ部の取り付け構造および自動販売機を提供することである。
【課題を解決するための手段】
【０００７】
上記目的を達成するために、この発明の第１の局面によるディスプレイ部の取り付け構造は、機器本体に取り付けられるディスプレイ部の取り付け構造であって、タッチパネルを含むディスプレイ部と、ディスプレイ部のタッチパネルが配置される側の面が露出する開口部を有するとともに、ディスプレイ部を覆う導電性を有するカバー部材と、ディスプレイ部とカバー部材との間に配置され、ディスプレイ部をカバー部材に保持する絶縁性を有するクッション部材と、ディスプレイ部を機器本体に取り付けるために、カバー部材に設けられた取付部と、を備え、クッション部材は、機器本体からディスプレイ部に伝搬される電磁ノイズを遮断するとともに、ディスプレイ部からカバー部材に静電気を放電して機器本体に静電気を逃がすように構成されている。
【０００８】
上記第１の局面によるディスプレイ部の取り付け構造は、上記のように、クッション部材は、機器本体からディスプレイ部に伝搬される電磁ノイズを遮断するとともに、ディスプレイ部からカバー部材に静電気を放電して機器本体に静電気を逃がすように構成されている。これにより、クッション部材により、機器本体からディスプレイ部に伝搬される電磁ノイズを遮断することができるとともに、ユーザが、タッチパネルを操作する際に、静電気による放電が発生した場合において、タッチパネルから機器本体に静電気を逃がすことができる。その結果、タッチパネルへの電磁ノイズの影響をより低減しながら、ユーザによるタッチパネルへの操作を精度よく検知することが可能なディスプレイ部の取り付け構造を提供することができる。また、静電気対策として、帯電防止シートをタッチパネル上に配置しなくとも、静電気による誤作動および異常の発生を抑制することができる。その結果、タッチパネル上に帯電防止シートを配置する場合に比べて、部品点数の増加、構造の複雑化およびディスプレイ部の視認性の低下を抑制することができる。また、クッション部材は、容易に変形するので、クッション性を有しない場合に比べて、容易にディスプレイ部とカバー部材との間に配置することができる。
【０００９】
上記第１の局面によるディスプレイ部の取り付け構造において、好ましくは、クッション部材は、ディスプレイ部とカバー部材との間において、圧縮した状態で配置され、クッション部材の弾性反発力によりディスプレイ部をカバー部材に保持するように構成されており、クッション部材は、ディスプレイ部とカバー部材との間の電位差が、所定の電位差を超えない場合には、ディスプレイ部とカバー部材との間を電気的に絶縁するとともに、ディスプレイ部とカバー部材との間の電位差が、所定の電位差以上の場合には、ディスプレイ部からカバー部材に静電気を放電させるように構成されている。このように構成すれば、圧縮した状態で配置されたクッション部材により、弾性反発力によりディスプレイ部が、カバー部材に保持されるので、ディスプレイ部を保持するための部材を別途設けなくとも、ディスプレイ部をカバー部材に保持することができる。その結果、部品点数の増加および取り付け構造の複雑化を抑制することができる。また、ディスプレイ部とカバー部材との間の電位差が大きくなった場合には、ディスプレイ部からカバー部材を介して、機器本体に静電気を逃がすことができる。その結果、より容易に静電気によるタッチパネルの誤作動および異常の発生を抑制することができる。
【００１０】
上記第１の局面によるディスプレイ部の取り付け構造において、好ましくは、クッション部材は、発泡ゴムにより形成されている。このように構成すれば、クッション部材は、気泡の形成されたゴムであるので、気泡が形成されていない場合に比べて、変形しやすく、ディスプレイ部とカバー部材との間に容易に圧縮して配置することができる。また、クッション部材は、絶縁性のあるゴムであるので、ディスプレイ部とカバー部材との間を容易に電気的に絶縁することができる。
【００１１】
上記第１の局面によるディスプレイ部の取り付け構造において、好ましくは、カバー部材は、開口部が設けられた第１カバー部材を含み、クッション部材は、開口部の周縁部近傍のディスプレイ部と第１カバー部材との間において、第１カバー部材の開口部に沿うように、枠状に形成された防水性を有する第１クッション部材を含む。このように構成すれば、第１クッション部材により、開口部からカバー部材内部への液体の侵入を抑制することができる。その結果、屋外において使用する機器本体へディスプレイ部の取り付けを行う場合でも、防水のための部材を別途設ける必要がないので、部品点数の増加および取り付け構造の複雑化をさらに抑制することができる。
【００１２】
この場合、好ましくは、カバー部材は、ディスプレイ部のタッチパネルが配置される側とは反対側の面を覆う第２カバー部材を含み、クッション部材は、ディスプレイ部のタッチパネルが配置される側とは反対側の面において、ディスプレイ部とカバー部材との間に配置された枠状に形成された第２クッション部材を含む。このように構成すれば、第２クッション部材は、ディスプレイ部のタッチパネルが配置される側とは反対側の面において、ディスプレイ部とカバー部材と間に配置される。その結果、ディスプレイ部のタッチパネルが配置される側とは反対側の面において、第２クッション部材により、タッチパネルへの電磁ノイズの伝搬を抑制するとともに、ディスプレイ部から第２クッション部材およびカバー部材を介して、機器本体に静電気を逃がすことができる。
【００１３】
上記第１の局面によるディスプレイ部の取り付け構造において、好ましくは、ディスプレイ部は、矩形形状を有し、クッション部材は、矩形形状のディスプレイ部の４つの外周側面とカバー部材の内側面との間に配置され、弾性反発力によりディスプレイ部をカバー部材に保持する、第３クッション部材を含む。このように構成すれば、第３クッション部材は、矩形形状のディスプレイ部の４つの外周側面とカバー部材の内側面との間に配置される。その結果、ディスプレイ部の外周側面において、第３クッション部材により、タッチパネルへの電磁ノイズの伝搬を抑制するとともに、ディスプレイ部から第３クッション部材およびカバー部材を介して、機器本体に静電気を逃がすことができる。また、矩形形状のディスプレイ部の４つの外周側面において、第３クッション部材により、ディスプレイ部をカバー部材に弾性反発力により保持するので、ディスプレイ部の位置決めを容易に行うことができる。
【００１４】
この発明の第２の局面による自動販売機は、内部に商品を収納する自動販売機本体と、商品を払い出すための操作を受け付けるためのタッチパネルを含むディスプレイ部と、自動販売機本体の外面側において、ディスプレイ部のタッチパネルが配置される側の面が露出する開口部を有するとともに、ディスプレイ部を覆う導電性を有するカバー部材と、ディスプレイ部とカバー部材との間に設けられ、ディスプレイ部をカバー部材に保持する絶縁性を有するクッション部材と、ディスプレイ部を自動販売機本体に取り付けるために、カバー部材に設けられた取付部と、を備え、クッション部材は、自動販売機本体からのディスプレイ部に伝搬される電磁ノイズを遮断するとともに、ディスプレイ部から導電性を有するカバー部材に静電気を放電して自動販売機本体に静電気を逃がすように構成されている。
【００１５】
上記第２の局面による自動販売機は、上記のように、クッション部材は、自動販売機本体からのディスプレイ部に伝搬される電磁ノイズを遮断するとともに、ディスプレイ部から導電性を有するカバー部材に静電気を放電して自動販売機本体に静電気を逃がすように構成されている。これにより、クッション部材により自動販売機本体からディスプレイ部に伝搬される電磁ノイズを遮断することができるとともに、自動販売機の利用者（ユーザ）が、商品を払い出すための操作を行う際に、静電気による放電が発生した場合において、タッチパネルから自動販売機本体に静電気を逃がすことができる。その結果、タッチパネルへの電磁ノイズの影響をより低減しながら、ユーザによるタッチパネルへの操作を精度よく検知することが可能な自動販売機を提供することができる。また、静電気対策として、帯電防止シートをタッチパネル上に配置しなくとも、静電気による誤作動および異常の発生を抑制することができる。その結果、タッチパネル上に帯電防止シートを配置する場合に比べて、部品点数の増加、構造の複雑化およびディスプレイ部の視認性の低下を抑制することができる。
【発明の効果】
【００１６】
本発明によれば、上記のように、タッチパネルへの電磁ノイズの影響をより低減しながら、ユーザによるタッチパネルへの操作を精度よく検知することが可能なディスプレイ部の取り付け構造および自動販売機を提供することができる。
【図面の簡単な説明】
【００１７】
【図１】本発明の一実施形態による自動販売機を示した図である。
【図２】本発明の一実施形態の自動販売機によるインタラクティブディスプレイの一例を示した図である。
【図３】本発明の一実施形態によるインタラクティブディスプレイの分解図である。
【図４】図２の２００−２００線に沿った断面図である。
【図５】本発明の一実施形態のクッション部材による圧縮前の厚さを示す図である。
【発明を実施するための形態】
【００１８】
以下、本発明を具体化した実施形態を図面に基づいて説明する。
【００１９】
（自動販売機の構成）
図１を参照して、本実施形態による自動販売機１００の構成について説明する。
【００２０】
本実施形態による自動販売機１００は、図１に示すように、内部に飲料などの商品を収納する自動販売機本体１に、インタラクティブディスプレイ２、商品選択ボタン３、商品取出口４が設けられている。また、自動販売機本体１は、接地されている。なお、自動販売機本体１は、特許請求の範囲の「機器本体」の一例である。
【００２１】
自動販売機１００は、飲料などの商品を販売するための機器である。本実施形態では、自動販売機１００は、ネットワークを介して、決済サーバと接続されており、現金による決済に加えて、複数の電子的な決済手段を用いて、商品を販売することが可能に構成されている。なお、電子的な決済手段とは、ネットワークを介して決済を行う、電子マネー、２次元コードおよび１次元コードなどを用いた決済手段である。
【００２２】
インタラクティブディスプレイ２は、複数の電子的な決済手段の中から、決済方法を選択するためのボタン２１を、選択可能に表示するとともに、利用者（ユーザ）による決済方法の選択操作を受け付けるように構成されている。また、インタラクティブディスプレイ２は、自動販売機１００の利用者（ユーザ）へのメッセージ、電子的な決済に用いられる２次元コードなどを表示可能に構成されている。自動販売機１００は、インタラクティブディスプレイ２により受け付けた選択操作に基づいて、選択された決済方法における、決済のための表示（２次元コードなど）を行うように、インタラクティブディスプレイ２の表示の制御を行う。
【００２３】
商品選択ボタン３は、利用者（ユーザ）が、商品を選択するためのボタンである。自動販売機１００では、商品選択ボタン３が押下されることにより商品が選択され、商品を販売するための制御が開始されるように構成されている。
【００２４】
商品取出口４は、利用者（ユーザ）により選択された商品を取り出すための取出口である。自動販売機１００は、利用者（ユーザ）により選択された商品を、商品が収納されている自動販売機本体１から、商品取出口４に搬出するように構成されている。商品の搬出は、電子的な決済または現金による決済が完了した後、行われるように構成されている。
【００２５】
本実施形態では、一例として、自動販売機１００（機器本体）にインタラクティブディスプレイ２として取り付けられる、ディスプレイモジュール２０の取り付け構造を示す。なお、ディスプレイモジュール２０は、特許請求の範囲の「ディスプレイ部」の一例である。また、ディスプレイモジュール２０の取り付け構造は、特許請求の範囲の「ディスプレイ部の取り付け構造」の一例である。
【００２６】
（インタラクティブディスプレイ）
インタラクティブディスプレイ２は、図２に示すように、金属カバー１０によりディスプレイモジュール２０を覆うように構成されている。金属カバー１０は、第１カバー１１および第２カバー１２により構成されている。なお、金属カバー１０は、特許請求の範囲の「カバー部材」の一例である。また、第１カバー１１は、特許請求の範囲の「第１カバー部材」の一例であり、第２カバー１２は、特許請求の範囲の「第２カバー部材」の一例である。
【００２７】
（金属カバー）
本実施形態では、金属カバー１０は、導電性を有しており、自動販売機本体１の外面側において、ディスプレイモジュール２０のタッチパネルが配置される側の面が露出する開口部１３を有するとともに、ディスプレイモジュール２０を覆う。具体的には、金属カバー１０（第１カバー１１および第２カバー１２）は、導電性の金属材料により形成されている。また、金属カバー１０（第１カバー１１）は、タッチパネルによる操作を行うために、自動販売機本体１の外面側において、ディスプレイモジュール２０のタッチパネルが配置される側の面を露出させるための開口部１３を有している。
【００２８】
また、本実施形態では、金属カバー１０は、開口部１３が設けられた第１カバー１１を含むとともに、ディスプレイモジュール２０のタッチパネルが配置される側とは反対側の面を覆う第２カバー１２を含む。具体的には、第１カバー１１には、開口部１３およびカバー固定部１４が設けられている。また、第２カバー１２は、ディスプレイモジュール２０のタッチパネルが配置される側とは反対側の面を覆うとともに、カバー固定部１５が設けられている。第１カバー１１および第２カバー１２は、それぞれに設けられたカバー固定部１４および１５により、ディスプレイモジュール２０を挟み込むように、互いを固定している。
【００２９】
また、第１カバー１１には、ディスプレイモジュール２０を自動販売機本体１に取り付けるために、取付部１６が設けられている。
【００３０】
また、本実施形態では、ディスプレイモジュール２０は、矩形形状を有する（図３参照）とともに、商品を払い出すための操作を受け付けるためのタッチパネルを含む。具体的には、ディスプレイモジュール２０は、タッチパネル、液晶パネルおよびバックライトなどを含み、第２カバー１２の背面（ディスプレイモジュール２０が、配置される側とは反対側の面）側に、配置される回路基板（図示せず）に接続されている。ディスプレイモジュール２０は、接続された回路基板により表示の制御などが行われるように構成されている。また、タッチパネルは、静電容量の変化により操作を検出する、静電容量方式のタッチパネルである。なお、ディスプレイモジュール２０は、液晶パネルおよびバックライトの代わりに、有機ＥＬパネルを含んでもよい。また、ディスプレイモジュール２０は、タッチパネルと有機ＥＬパネルとを一体的に形成してもよい。
【００３１】
（クッション部材）
本実施形態では、クッション部材３０は、自動販売機本体１からのディスプレイモジュール２０に伝搬される電磁ノイズを遮断するとともに、ディスプレイモジュール２０から導電性を有する金属カバー１０に静電気を放電して自動販売機本体１に静電気を逃がすように構成されている。具体的には、金属カバー１０とディスプレイモジュール２０との間に配置されたクッション部材３０により、金属カバー１０とディスプレイモジュール２０とを電気的に絶縁することにより、自動販売機本体１から伝搬される電磁ノイズを、遮断するように構成されている。また、クッション部材３０の材料および配置を、後述するように構成することにより、静電気による放電が発生した場合には、静電気をタッチパネルから金属カバー１０に放電して金属カバー１０を介して、接地された自動販売機本体１（図１参照）に静電気を逃がすように構成されている。
【００３２】
また、本実施形態では、クッション部材３０（第１クッション部材３１、第２クッション部材３２および第３クッション部材３３）は、発泡ゴムにより形成されている。たとえば、クッション部材３０は、絶縁性を有する発泡ゴムである発泡ＥＰＤＭ（エチレン‐プロピレン‐ジエン三元共重合体：エチレンプロピレンゴム）などにより形成されている。
【００３３】
また、本実施形態では、クッション部材３０は、ディスプレイモジュール２０と金属カバー１０との間において、圧縮した状態で配置され、クッション部材３０の弾性反発力によりディスプレイモジュール２０を金属カバー１０に保持するように構成されている。具体的には、図４に示すように、クッション部材３０（第１クッション部材３１、第２クッション部材３２および第３クッション部材３３）は、ディスプレイモジュール２０と金属カバー１０との間に配置されている。クッション部材３０（第１クッション部材３１、第２クッション部材３２および第３クッション部材３３）は、図５に示すように、ディスプレイモジュール２０と金属カバー１０との間の隙間（隙間Ｌ１、隙間Ｌ２および隙間Ｌ３）の大きさよりも大きな厚み（厚みｔ１、厚みｔ２および厚みｔ３）を有するように形成されている。これらのクッション部材３０（第１クッション部材３１、第２クッション部材３２および第３クッション部材３３）を圧縮して、隙間（隙間Ｌ１、隙間Ｌ２および隙間Ｌ３）におさめることにより、弾性反発力によりディスプレイモジュール２０を、金属カバー１０に保持するように構成されている。また、クッション部材（第１クッション部材３１、第２クッション部材３２および第３クッション部材３３）は、ディスプレイモジュール２０に図示しない接着テープなどにより、貼り付けられている。
【００３４】
また、本実施形態では、クッション部材３０は、開口部１３の周縁部近傍のディスプレイモジュール２０と第１カバー１１との間において、第１カバー１１の開口部１３に沿うように、枠状に形成された防水性を有する第１クッション部材３１を含む。具体的には、第１クッション部材３１、第２クッション部材３２および第３クッション部材３３は、水を通さない独立気泡構造体を有した、前述した発泡ＥＰＤＭなどの防水性を有する発泡ゴムにより形成されている。また、第１クッション部材３１は、ディスプレイモジュール２０のタッチパネルが配置される側の面と、金属カバー１０である第１カバー１１の内側面との間において、第１カバー１１の開口部１３に沿う枠状に形成されている。また、第１クッション部材３１は、ディスプレイモジュール２０のタッチパネルが配置される側の面と、金属カバー１０である第１カバー１１の内側面と、の間の隙間Ｌ１に配置（図４参照）されている。第１クッション部材３１は、隙間Ｌ１よりも大きい厚みｔ１を有しており（図５参照）、隙間Ｌ１において、圧縮された状態で配置されている。
【００３５】
また、本実施形態では、クッション部材３０は、ディスプレイモジュール２０のタッチパネルが配置される側とは反対側の面において、ディスプレイモジュール２０と金属カバー１０との間に配置された枠状に形成された第２クッション部材３２を含む。具体的には、第２クッション部材３２は、第１カバー１１の開口部１３に沿う枠状に形成された第１クッション部材３１と同様の枠状の形状に形成されている。第２クッション部材３２を第１クッション部材３１と同様の枠状に形成することにより、第１クッション部材３１および第２クッション部材３２を共通化することができる。これにより、第１クッション部材３１および第２クッション部材３２を別形状で形成する場合に比べて、部品の種類が増加するのを抑制することができる。また、第２クッション部材３２は、ディスプレイモジュール２０のタッチパネルが配置される側とは反対側の面と、金属カバー１０である第２カバー１２の内側面と、の間の隙間Ｌ２に配置（図４参照）されている。また、第２クッション部材３２は、隙間Ｌ２よりも大きい厚みｔ２を有しており（図５参照）、隙間Ｌ２において、圧縮された状態で配置されている。
【００３６】
また、本実施形態では、クッション部材３０は、矩形形状のディスプレイモジュール２０の４つの外周側面と金属カバー１０の内側面との間に配置され、弾性反発力によりディスプレイモジュール２０を金属カバー１０に保持する、第３クッション部材３３を含む。具体的には、第３クッション部材３３は、ディスプレイモジュール２０の外周側面と、金属カバー１０である第１カバー１１の内側面と、の間の隙間Ｌ３に配置（図４参照）されている。また、第３クッション部材３３は、隙間Ｌ３よりも大きい厚みｔ３を有しており（図５参照）、隙間Ｌ３において、圧縮された状態で配置されている。また、圧縮された状態の第３クッション部材３３の弾性反発力によりディスプレイモジュール２０を金属カバー１０に保持している。
【００３７】
また、本実施形態では、クッション部材３０は、ディスプレイモジュール２０と金属カバー１０との間の電位差が、所定の電位差を超えない場合には、ディスプレイモジュール２０と金属カバー１０との間を電気的に絶縁するとともに、ディスプレイモジュール２０と金属カバー１０との間の電位差が、所定の電位差以上の場合には、ディスプレイモジュール２０から金属カバー１０に静電気を放電させるように構成されている。具体的には、インタラクティブディスプレイ２は、クッション部材３０の材質に応じて、金属カバー１０とディスプレイモジュール２０との間の隙間（金属カバー１０とディスプレイモジュール２０との距離）およびクッション部材３０の厚みなどを調整している。また、クッション部材３０は、静電気による放電により発生したディスプレイモジュール２０と金属カバー１０との間の電位差が、所定の電位差（たとえば、０．１ｋＶ以上１．５ｋＶ以下）以上の場合において、金属カバー１０を介して、自動販売機本体１に静電気を逃がせるように構成されている。たとえば、クッション部材３０として、発泡ＥＰＤＭを用いた場合、金属カバー１０とディスプレイモジュール２０との間の２ｍｍの隙間に、３ｍｍの厚みを有するクッション部材３０を、１ｍｍ圧縮した状態で配置させる。また、クッション部材３０として、発泡ＥＰＤＭを用いた場合、静電気による放電により発生した金属カバー１０とディスプレイモジュール２０との間の電位差が、１ｋＶ以上となった場合において、金属カバー１０に静電気を逃がせるように構成される。つまり、発泡ＥＰＤＭを、絶縁耐力（絶縁破壊電圧）１ｋＶのクッション部材３０として用いることにより、タッチパネルへの静電気による放電が１ｋＶ以上の際に、金属カバー１０を介して、自動販売機本体１に静電気を逃がせるように構成されている。
【００３８】
（本実施形態の効果）
本実施形態では、以下のような効果を得ることができる。
【００３９】
本実施形態では、クッション部材３０は、自動販売機本体１（機器本体）からディスプレイモジュール２０に伝搬される電磁ノイズを遮断するとともに、ディスプレイモジュール２０から金属カバー１０に静電気を放電して自動販売機本体１（機器本体）に静電気を逃がすように構成されている。これにより、クッション部材３０により自動販売機本体１（機器本体）からディスプレイモジュール２０に伝搬される電磁ノイズを遮断することができるとともに、自動販売機１００の利用者（ユーザ）が商品を払い出すための操作を行う際に、静電気による放電が発生した場合において、タッチパネルから自動販売機本体１（機器本体）に静電気を逃がすことができる。その結果、タッチパネルへの電磁ノイズの影響をより低減しながら、ユーザによるタッチパネルへの操作を精度よく検知することが可能なディスプレイモジュール２０の取り付け構造および自動販売機１００を提供することができる。また、静電気対策として、帯電防止シートをタッチパネル上に配置しなくとも、静電気による誤作動および異常の発生を抑制することができる。その結果、タッチパネル上に帯電防止シートを配置する場合に比べて、部品点数の増加、構造の複雑化およびディスプレイモジュール２０の視認性の低下を抑制することができる。また、クッション部材３０は、容易に変形するので、クッション性を有しない場合に比べて、容易にディスプレイモジュール２０と金属カバー１０との間に配置することができる。
【００４０】
また、本実施形態では、上記のように、クッション部材３０の弾性反発力によりディスプレイ部をカバー部材に保持するように構成されており、ディスプレイモジュール２０と金属カバー１０との間の電位差が、所定の電位差を超えない場合には、ディスプレイモジュール２０と金属カバー１０との間を電気的に絶縁するとともに、ディスプレイモジュール２０と金属カバー１０との間の電位差が、所定の電位差以上の場合には、ディスプレイモジュール２０から金属カバー１０に静電気を放電させるように構成されている。これにより、圧縮した状態で配置されたクッション部材３０により、弾性反発力によりディスプレイモジュール２０が、金属カバー１０に保持されるので、ディスプレイモジュール２０を保持するための部材を別途設けなくとも、ディスプレイモジュール２０を金属カバー１０に保持することができる。その結果、部品点数の増加および取り付け構造の複雑化を抑制することができる。また、ディスプレイモジュール２０と金属カバー１０との間の電位差が大きくなった場合には、ディスプレイモジュール２０から金属カバー１０を介して、自動販売機本体１（機器本体）に静電気を逃がすことができる。その結果、より容易に静電気によるタッチパネルの誤作動および異常の発生を抑制することができる。
【００４１】
また、本実施形態では、上記のように、クッション部材３０は、発泡ゴムにより形成されている。これにより、クッション部材３０は、気泡の形成されたゴムであるので、気泡が形成されていない場合に比べて、変形しやすく、ディスプレイモジュール２０と金属カバー１０との間に容易に圧縮して配置することができる。また、クッション部材３０は、絶縁性のあるゴムであるので、ディスプレイモジュール２０と金属カバー１０との間を容易に電気的に絶縁することができる。
【００４２】
また、本実施形態では、上記のように、防水性を有する第１クッション部材３１が、開口部１３の周縁部近傍のディスプレイモジュール２０と第１カバー１１との間において、第１カバー１１の開口部１３に沿うように、枠状に形成されている。これにより、第１クッション部材３１により、開口部１３から金属カバー１０内部への液体の侵入を抑制することができる。その結果、ディスプレイモジュール２０を、屋外にて使用する自動販売機本体１（機器本体）に取り付けを行う場合でも、防水のための部材を別途設ける必要がないので、部品点数の増加および取り付け構造の複雑化をさらに抑制することができる。
【００４３】
また、本実施形態では、上記のように、第２クッション部材３２は、ディスプレイモジュール２０のタッチパネルが配置される側とは反対側の面において、ディスプレイモジュール２０と金属カバー１０（第２カバー１２）との間に配置された枠状に形成されている。これにより、ディスプレイモジュール２０のタッチパネルが配置される側とは反対側の面において、ディスプレイモジュール２０および金属カバー１０は、クッション部材３０（第２クッション部材３２）に接する。その結果、ディスプレイモジュール２０のタッチパネルが配置される側とは反対側の面において、タッチパネルへの電磁ノイズの伝搬を抑制するとともに、ディスプレイモジュール２０からクッション部材３０（第２クッション部材３２）および金属カバー１０（第２カバー１２）を介して、自動販売機本体１（機器本体）に静電気を逃がすことができる。
【００４４】
また、本実施形態では、上記のように、第３クッション部材３３は、矩形形状のディスプレイモジュール２０の４つの外周側面と金属カバー１０（第１カバー１１）の内側面との間に配置され、弾性反発力によりディスプレイモジュール２０を金属カバー１０（第１カバー１１）に保持する。これにより、第３クッション部材３３が、矩形形状のディスプレイモジュール２０の４つの外周側面と金属カバー１０（第１カバー１１）の内側面との間に配置されるので、ディスプレイモジュール２０の外周側面において、ディスプレイモジュール２０および金属カバー１０（第１カバー１１）は、第３クッション部材３３に接する。その結果、ディスプレイモジュール２０の外周側面において、タッチパネルへの電磁ノイズの伝搬を抑制するとともに、ディスプレイモジュール２０からクッション部材３０（第３クッション部材３３）および金属カバー１０（第１カバー１１）を介して、自動販売機本体１（機器本体）に静電気を逃がすことができる。また、ディスプレイモジュール２０の４つの外周側面において、ディスプレイモジュール２０を金属カバー１０（第１カバー１１）に弾性反発力により保持するので、ディスプレイモジュール２０の位置決めを容易に行うことができる。
【００４５】
［変形例］
今回開示された実施形態は、全ての点で例示であり制限的なものではないと考えられるべきである。本発明の範囲は上記実施形態の説明ではなく特許請求の範囲によって示され、さらに特許請求の範囲と均等の意味および範囲内での全ての変更（変形例）が含まれる。
【００４６】
たとえば、上記実施形態では、ディスプレイモジュール２０が取り付けられる機器本体を自動販売機１００の自動販売機本体１である例を示したが、本発明はこれに限られない。たとえば、カーナビゲーションシステムなどの自動販売機以外の機器本体にディスプレイ部を取り付けてもよい。
【００４７】
また、上記実施形態では、ディスプレイモジュール２０を、金属カバー１０（第１カバー１１および第２カバー１２）により覆う例を示したが、本発明はこれに限られない。本発明では、第１カバー部材および第２カバー部材のうち、いずれか一方のカバー部材を樹脂などの金属材料以外の非導電性材料により形成して、導電性材料を有する他方のカバー部材により、機器本体に静電気を逃がすように取り付ける構造としてもよい。
【００４８】
また、上記実施形態では、ディスプレイモジュール２０を、導電性の金属材料により形成された金属カバー１０により覆う例を示したが、本発明はこれに限られない。本発明では、カバー部材の一部に導電性材料を含ませる、または、カバー部材の表面に導電処理を施すことにより、自動販売機本体（機器本体）と導通するように構成してもよい。
【００４９】
また、上記実施形態では、ディスプレイモジュール２０の４つの外周側面と金属カバー１０の内側面との間に第３クッション部材３３を配置する例を示したが、本発明はこれに限られない。本発明では、ディスプレイ部のいずれか１つの外周側面とカバー部材の内側面との間にのみ第３クッション部材を配置するように構成してもよいし、ディスプレイ部の外周側面とカバー部材の内側面との間に第３クッション部材を配置しなくてもよい。
【００５０】
また、上記実施形態では、第２クッション部材３２は、第１クッション部材３１と同様に枠状に形成された例を示したが、本発明はこれに限られない。本発明では、第２クッション部材を、ディスプレイ部のタッチパネルが配置される側とは反対側の面の全面を覆うような矩形形状に形成してもよい。
【００５１】
また、上記実施形態では、ディスプレイモジュール２０のタッチパネル上には、帯電防止シートを配置しない例を示したが、本発明はこれに限られない。本発明では、静電気対策として帯電防止シートをディスプレイ部のタッチパネル上に配置してもよい。
【符号の説明】
【００５２】
１  自動販売機本体（機器本体）
１０  金属カバー（カバー部材）
１１  第１カバー（第１カバー部材）
１２  第２カバー（第２カバー部材）
１３  開口部
１６  取付部
２０  ディスプレイモジュール（ディスプレイ部）
３０  クッション部材
３１  第１クッション部材
３２  第２クッション部材
３３  第３クッション部材
１００  自動販売機
【図１】
2020201757.tif 000003
【図２】
2020201757.tif 000004
【図３】
2020201757.tif 000005
【図４】
2020201757.tif 000006
【図５】
2020201757.tif 000007